(57)【要約】【課題】  多様な変形によって生じる反発力を利用した運動補助具を提供する。【解決手段】 運動補助具は、柔軟弾性体よりなるチューブ１０にピアノ線を巻回してなるコイルスプリング２１を挿入し、コイルスプリング２１の両端のピッチを密着するように近くにして巻回した連結部２１ｂに、連結部２１ｂより外径を小さく形成した連結部２１ａをねじ込んで周囲からかしめて連結する。運動補助具は、素材そのものの弾力性、伸縮性により運動補助具を圧縮、拡張させたりする他に、両側のグリップ１１を握って８の字形に屈曲させることで捻転させて反発力を受けたり、一方のグリップ１１を他方のグリップ側へ振ったときに振動を共振して反力を受けたりすることができる。このような運動補助具の自在な動きを活用して様々な運動に適用することができる。【選択図】    図１
2005312519.tif 000002
【特許請求の範囲】
【請求項１】
所定の長さの柔軟弾性部材よりなるチューブに同チューブの長さと同じ長さのコイルスプリングを挿入してその両端を連結することにより環状に形成されてなり、
使用者が同コイルスプリングを変形させることによって生じる反発力を使用者に付与されるようにしたことを特徴とする運動補助具。
【請求項２】
所定の長さの柔軟弾性部材よりなるチューブに同チューブの長さと同じ長さのコイルスプリングを挿入してその両端を連結することにより環状に形成されてなり、
同コイルスプリングの外周を被覆する前記チューブの直径方向の一端を使用者が握って半径方向に揺すったときに振動を共振してその反力が使用者の腕に付与されるようにしたことを特徴とする運動補助具。
【請求項３】
前記コイルスプリングの連結部を被覆する前記チューブの接合端と、同接合端に半径方向に対向する位置とに一対のグリップを取り付けたことを特徴とする請求項１または２に記載の運動補助具。
【請求項４】
前記コイルスプリングのピッチを変えることで反発力の強さを変更し得るようにしたことを特徴とする請求項１〜３の何れか１項に記載の運動補助具。
【請求項５】
前記コイルスプリングの素線径を変えることで反発力の強さを変更し得るようにしたことを特徴とする請求項１〜４の何れか１項に記載の運動補助具。
【発明の詳細な説明】
【技術分野】
【０００１】
本発明は、弾性部材の反発力を利用した運動補助具に関するものである。
【背景技術】
【０００２】
従来、この種の弾性部材による反発力を利用した運動補助具としては、所定の長さのＦＲＰの帯板や薄板ばねの帯鋼を丸めてその両端をねじで連結して環状にし、１８０°対向する位置に取手を取り付けたものがある。該運動補助具は、対向する位置に取り付けられた取手を左右の手で握り内側へ向けて力をかけて運動補助具の取手を結ぶ直径を圧縮させ、または外側へ向けて力をかけて運動補助具の取手を結ぶ直径を拡張させて、そのときに生ずる弾性による反発力を両手で受容して筋肉に負荷をかけて運動をすることができる。また、このような構造をした運動補助具に関して記載した文献は見当たらない。
【発明の開示】
【発明が解決しようとする課題】
【０００３】
上記した従来の運動補助具は、ＦＲＰなどの帯板を丸めて両端を連結しているため、運動補助具は厚さ方向にしか曲げることができず、幅方向には曲げることができない。また、当該運動補助具は、ＦＲＰなどの帯板を使用しているので、運動補助具に振動を生じるように揺すっても素材そのものの剛性上、運動補助具を共振させることができなかった。そのために、当該運動補助具は、上述したように運動補助具を圧縮または拡張させることによって得られる反発力を利用する運動しかできなく、多様な変形によって生じる反発力を利用した運動をすることができなかった。
【課題を解決するための手段】
【０００４】
本発明は、上記難点を無くすため、所定の長さの柔軟弾性部材よりなるチューブに同チューブの長さと同じ長さのコイルスプリングを挿入してその両端を連結することにより環状に形成されてなり、使用者が同コイルスプリングを変形させることによって生じる反発力を使用者に付与されるようにしたことを特徴とする運動補助具を提供するものである。
【０００５】
上記の運動補助具おいては、コイルスプリングを環状に形成しているので、圧縮変形による所定の反発力を有した状態で、圧縮、拡張、伸張のような変形の他に、直径方向の両端を握って８の字形に屈曲させるなどの種々の変形させることによって生じる反発力により運動をすることができる。
【０００６】
本発明は、他の実施形態においては、所定の長さの柔軟弾性部材よりなるチューブに同チューブの長さと同じ長さのコイルスプリングを挿入してその両端を連結することにより環状に形成されてなり、同コイルスプリングの外周を被覆する前記チューブの半径方向の一端を使用者が握って半径方向に振ったときに振動を共振してその反力が使用者の腕に付与されるようにしたことを特徴とする運動補助具を提供するものである。
【０００７】
上記の運動補助具おいては、運動補助具の一端を使用者が握り半径方向に振ったときに振動を共振してその反力が使用者の腕に付与されるので、運動補助具の共振により得られる反力により運動をすることができる。
【０００８】
上記のように構成した運動補助具においては、前記コイルスプリングの連結部を被覆する前記チューブの接合端と、同接合端に半径方向に対向する位置とに一対のグリップを取り付けたようにするのが好ましく、このようにすれば、コイルスプリングの連結部とチューブの接合端をグリップにより隠すことができるとともに、運動補助具を握りやすくして運動をすることができる。
【０００９】
また、上記のように構成した運動補助具においては、コイルスプリングのピッチを変えることで反発力の強さを変更し得るようにしたので、環状にした運動補助具の外径及び太さを変更することなく所望の反発力に設定した運動補助具で運動をすることができる。
【００１０】
また、上記のように構成した運動補助具においては、コイルスプリングの素線径を変えることで反発力の強さを変更し得るようにしたので、上述と同様に環状にした運動補助具の外径及び太さを変更することなく所望の反発力に設定した運動補助具で運動をすることができる。
【発明を実施するための最良の形態】
【００１１】
以下、本発明の最適な実施形態を添付図面を参照して説明する。図１に示すように、運動補助具は、所定の長さの柔軟弾性部材よりなるチューブ１０に同チューブ１０の長さと同じ長さのコイルスプリング２１を挿入してその両端を連結することにより環状に形成されている。
【００１２】
コイルスプリング２１は、図１及び図２に示すように、ピアノ線を巻回してなり、素線径は３．２mmで巻線間隔のピッチは１６．５mmで巻回されている。コイルスプリング２１は、両端においてピッチを密着するように近くにして巻回されて連結部２１ａ、２１ｂを形成し、一方の連結部２１ａの外径を小さくして他方の連結部２１ｂにねじ込み、周囲からかしめて両端を連結して環状に形成されて環状弾性部材２０となる。
【００１３】
チューブ１０は、図１〜図３に示すように、その外径及び内径は２６mm及び１９mmとなる天然ゴムよりなる柔軟弾性体で、コイルスプリング２１の外周を被覆する。チューブ１０の内周には、長手方向に延びる溝１０ａが周設されており、内部に挿入されたコイルスプリング２１がチューブ１０の表面であばら状に凹凸しないようなっている。また、前記溝１０ａは、チューブ１０を握ったりチューブ１０が手や体の一部と接触したときのクッションの機能も有している。さらに、チューブ１０にコイルスプリング２１を差し込むときにはコイルスプリング２１がチューブ１０の内周面に接触して移動するために張り付いて挿入しにくくなるが、内周の溝１０ａにより接触する面が減るので張り付くことがなくなり、チューブ１０にコイルスプリング２１を挿入しやすくなっている。
【００１４】
運動補助具は、チューブ１０にコイルスプリング２１が挿入されて前述のようにコイルスプリング２１の連結部２１ａ、２１ｂを連結して組み付けられ、コイルスプリング２１の連結部２１ａ、２１ｂを被覆するチューブ１０の接合端と、その接合端に半径方向に対向する位置にチューブ１０の外周を覆うようにグリップ１１が取り付けられている。また、このグリップ１１は、運動補助具を左右の手で握りやすくするとともに、コイルスプリング２１の連結部２１ａ、２１ｂ及びチューブ１０の接合端を隠して見栄えを良くしている。
【００１５】
このような運動補助具は直径が５２６mmとなり、運動補助具の弾性による反発力は、一方のグリップ１１を他方のグリップ１１と密着する状態まで圧縮するときに要する力として５kgとなっている。運動補助具の反発力を変えるには、例えばコイルスプリング２１の巻線間隔のピッチを２２．５mmで巻回すると反発力は６kgとなり、コイルスプリング２１の素線径を３．０mmにして、５kgと同じ巻線間隔のピッチを１６．５mmとしたときには反発力が４kgとなる。このようにコイルスプリング２１の素線径を太くするか、巻線間隔のピッチを大きくすることにより弾性による反発力を大きくすることができるので、環状弾性部材２０のコイルスプリング２１の素線径と巻線間隔のピッチの何れか一方または両方を変えることで運動補助具の太さ（コイルスプリング２１の巻径）及び外径を変えることなく所望の反発力を有する運動補助具にすることができる。
【００１６】
次に本発明に係る運動補助具の作用を変形能力において他の部材を環状弾性部材として用いたときと比較して下記の表１により説明する。
【００１７】
【表１】
2005312519.tif 000003
【００１８】
表１に示す（ａ）は、本発明に係る環状弾性部材としてコイルスプリング２１の両端を連結した運動補助具であり、（ｂ）〜（ｅ）は（ａ）が１８０°対向する位置を内側に圧縮するときの反発力を同じにした他の部材を環状弾性部材として用いた運動補助具である。表１に示す（ｂ）は、環状弾性部材としてゴムまたはエラストマーをソリッド状態または発泡体として環状に一体成形したゴム、エラストマー等の弾性部材による環状弾性部材である。（ｃ）は、環状弾性部材として樹脂製の円筒状のパイプの両端をプラグを用いて連結した樹脂製円筒パイプによる環状弾性部材である。（ｄ）は、環状弾性部材としてストレートのピアノ線またはワイヤーロープ等を溶接またはスリーブを介して連結した線部材による環状弾性部材である。（ｅ）は、環状弾性部材として薄板ばね材の帯板や樹脂製の帯板をねじで連結した帯板による環状弾性部材である。
【００１９】
表１に示す（i）圧縮は、運動補助具を内側に押して圧縮することによって得られる反発力を受容して運動をするもので、本発明に係る運動補助具は、両側のグリップ１１を左右の手で握り、内側に押しつぶすように圧縮したときに得られる反発力に抗して力をかけることで運動をすることができる。他の部材を環状弾性部材とした運動補助具（ｂ）〜（ｅ）においても、同様に圧縮させることで弾性による反発力を得ることができるので、本発明に係る運動補助具と同様の運動をすることができる。
【００２０】
表１に示す（ii）拡張は、運動補助具を外側に引いて拡張することによって得られる反発力を受容して運動をするもので、本発明に係る運動補助具は、両側のグリップ１１を左右の手で握り、外側に広げるように拡張したときに得られる反発力に抗して力をかけることで運動をすることができる。他の部材を環状弾性部材とした運動補助具（ｂ）〜（ｅ）においても、同様に拡張させることで弾性による反発力を得ることができるので、本発明に係る運動補助具と同様の運動をすることができる。
【００２１】
表１に示す（iii）水平対向は、運動補助具の両側のグリップを各々逆向きに平行移動させるときに得られる反発力を受容して運動をするもので、本発明に係る運動補助具は、両側のグリップ１１を水平方向に並ぶように左右の手で握り、両側のグリップ１１を各々上下逆向きに平行移動させるときに得られる反発力に抗して力をかけることで運動をすることができる。他の部材を環状弾性部材とした運動補助具（ｂ）〜（ｅ）においても、同様に水平対向させることで弾性による反発力を得ることができるので、本発明に係る運動補助具と同様の運動をすることができる。
【００２２】
表１に示す（iv）伸張は、運動補助具を（ii）拡張のときよりも強く外側に引いて運動補助具を伸長させて得られる反発力を受容して運動をするもので、本発明に係る運動補助具は、両側のグリップ１１を左右の手で握り、(ii)拡張のときよりも強く外側に力をかけたときに環状弾性部材２０のコイルスプリング２１が円周方向に伸長し、コイルスプリング２１の弾性による反発力に抗して力をかけることで運動をすることができる。また、この運動補助具のコイルスプリング２１及びチューブ１０の伸縮を利用することにより、使用者が両足で立った状態で、一方のグリップ１１を足で踏み、他方のグリップ１１を握って腕を引き上げてコイルスプリング２１の伸縮により生ずる反発力により運動をすることもできる。しかし、他の部材を環状弾性部材とした運動補助具（ｂ）〜（ｅ）においては、環状弾性部材が円周方向への伸縮力を有していないので、円周方向へ伸長することができず、本発明に係る運動補助具のように（iv）伸張による運動をすることができない。
【００２３】
表１に示す（v）捻転は、運動補助具の両側のグリップを結ぶ軸線周りに８の字形に屈曲させることで捻転させることで得られる反発力を受容して運動をするもので、本発明に係る運動補助具は、両側のグリップ１１を両手で握り、両グリップ１１を結ぶ軸線回りに８の字形に屈曲させることで捻転させたときに得られる反発力に抗して運動をすることができる。他の部材を環状弾性部材とした運動補助具（ｂ）〜（ｄ）においては、同様に捻転させることで弾性による反発力を得て本発明に係る運動具と同様の運動をすることができるが、圧縮による反発力を所定の強さで維持しながら該捻転させる運動に適する程度の反発力を得ることが難しい。また、運動補助具（ｅ）は、環状弾性部材にばね材の帯板や樹脂製の帯板を使用しているので、幅方向に曲げることができないために捻転させることができない。
【００２４】
表１に示す（vi）共振は、運動補助具の一方のグリップを他方のグリップ側へ向けて揺すったときに運動補助具を共振させて一方のグリップを握る手に得られる反力を受容して運動をするもので、本発明に係る運動補助具は、運動補助具の一方のグリップ１１を握り、他方のグリップ側へ向けて前後に振ると運動補助具が共振して、一方のグリップを握る手に反力がかかってその反力に抗することで運動をすることができる。また、両側のグリップ１１を左右の手で握り、運動補助具を圧縮して両側のグリップ１１を接した状態で保持し、両手で前後または左右に揺することで、両側のグリップ１１に挟まれる領域が共振して得られる反力により、体の軸を構成する筋肉を強化する運動をすることができる。しかし、他の部材を環状弾性部材とした運動補助具（ｂ）〜（ｅ）においては、一方のグリップを握って他方のグリップ側に向けて前後に揺すっても環状弾性部材が共振することがないので、本発明に係る運動補助具のように（iv）共振による運動をすることができない。
【００２５】
このように、本発明に係る運動補助具は、所定の圧縮による反発力を維持させた状態において、他の部材を環状弾性部材として用いたときにはできない種々の変形をさせることができ、それにより生じる反発力により該運動補助具を用いた多様な運動をすることができる。
【００２６】
また、本発明に係る運動補助具は、他の部材を環状弾性部材に用いた運動補助具（ｃ）〜（ｅ）と異なり一部材のみで環状弾性部材を形成することができるので、真円の環状弾性部材とすることができ、運動補助具の見栄えも良くなる。
【００２７】
また、本発明に係る運動補助具は、ゴムなどの弾性体を環状弾性部材とした運動補助具（ｂ）よりも軽量にできるので、運動補助具（ｂ）を用いて運動を行うときよりも重量による負担をかけずに運動をすることができる。また、他の部材を環状弾性部材に用いた運動補助具（ｂ）〜（ｅ）は、長期間使用したときには円形を維持しなくなるが、本発明に係る運動具は、常に円形を維持して使用することができる。
【図面の簡単な説明】
【００２８】
【図１】本発明に係る運動補助具の一部破断側面図である。
【図２】本発明に係る運動補助具の一部拡大側断面図である。
【図３】本発明に係る運動補助具の断面図である。
【符号の説明】
【００２９】
１０…チューブ、１１…グリップ、２１…コイルスプリング。
【図１】
2005312519.tif 000004
【図２】
2005312519.tif 000005
【図３】
2005312519.tif 000006